(57)【要約】      （修正有）【課題】直ぐに廃棄されることなく、広告という機能も果たす使い捨てコップを提供する。【解決手段】使い捨てコップ１の、少なくとも内側面３，内側底面および外側面２のいずれか一つの面に、広告５を施す構成とした。これにより、「液体短時間保持」という機能の他に、広告機能を具備させることが出来、使い捨てコップ１の価値を高めることが可能となる。【選択図】図１
0003141818.tif 000002
【実用新案登録請求の範囲】
【請求項１】
少なくとも内側面，内側底面および外側面のいずれか一つの面に広告を施すよう構成したことを特徴とする使い捨てコップ。
【考案の詳細な説明】
【技術分野】
【０００１】
本考案は、紙とか薄いプラスチック等で作られている使い捨てコップに関するものである。
【背景技術】
【０００２】
紙とか薄いプラスチック等で作られた、いわゆる使い捨てコップは、通常、１回限りの使用に供せられるだけで、その使用が終われば捨てられている。
図２は、従来の使い捨てコップの１例を示す図である。図２において、１は使い捨てコップ、２は外側面、３は内側面、４は液体収容部である。外側面２，内側面３は無地とされている。このような使い捨てコップは、紙や薄いプラスチック等で作られているので、安価であり、重量が軽い。そして、１回しか使わないから、使用するときは新品状態であるため、清潔である等の特徴を有している。
そのため、いろいろな用途で広く使われている。例えば自動販売機の飲用コップ，歯科医院等でのうがい用コップ，病院での採尿コップ，野外パーティやイベント会場での飲用コップ等々として用いられている。そして、使い捨てコップ１の液体収容部４に液体が入れられると、それを短時間保持し、液体が排出されれば廃棄されるという使い方がされている。
【考案の開示】
【考案が解決しようとする課題】
【０００３】
前記した如き従来の使い捨てコップは、液体収容部４に入れられた液体を短時間保持することを１回だけ行い、それが済めば直ぐに廃棄されてしまっていたから、いわば「液体短時間保持」という機能を果たしているだけであった。
しかし、資源を出来るだけ有効に利用するという観点、あるいは「もったいない」という観点から見た場合、単に上記の１つの機能を果たすだけで廃棄されてしまうことは、好ましくないという問題点があった。
本考案は、このような問題点を解決することを課題とするものである。
【課題を解決するための手段】
【０００４】
前記課題を解決するため、本考案の使い捨てコップは、少なくとも内側面，内側底面および外側面のいずれか一つの面に広告を施すよう構成することとした。
【考案の効果】
【０００５】
本考案の使い捨てコップによれば、その本来の機能である「液体短時間保持」という機能の他に、広告機能を果たさせることが出来るという効果を奏する。
【考案を実施するための最良の形態】
【０００６】
以下、本考案の実施形態を図面に基づいて詳細に説明する。
図１は、本考案にかかわる使い捨てコップの１例を示す図である。符号は図２のものに対応し、５は広告である。図示した例では、使い捨てコップ１の外側面２に広告５を施す構成としている。広告５の施し方は、外側面２に直接印刷するやり方でもよいし、広告を印刷したシールを外側面２に貼り付けるというやり方でもよい。
【０００７】
図示した例では、外側面２に「カメラは○○のＤＸ」（但し、○○はカメラメーカーの名前とする）という文字と、そのカメラを表す絵から成る広告を施している。このような使い捨てコップ１を自動販売機の飲用コップとして使用すると、そのコップで飲料水を飲んでいる人は、飲む時には手に持ったコップを顔に近づけるわけであるから、飲み終わるまでの間には何回かその広告を見ることになる。また、飲み終わってゴミ箱に捨てられても、その傍を通り過ぎる人あるいはゴミを片づける人の何人かは、捨てられたコップの広告を目にすることになる。
そのため、この使い捨てコップ１は、飲み終わるまでの間飲料を保持する「液体短時間保持」という機能の他に、広告機能を果たすことになる。
【０００８】
また、歯科医院で患者が座る治療椅子は、患者の左側にうがい用のコップが置かれるような構造となっており、そのコップとしては、使い捨てコップが用いられている。歯の治療を受けている患者は、歯科医に「はい、うがいして下さい」と言われる度に、そのコップを手に取りうがいをさせられている。
うがい用のコップの外側面に、図では例示してないが、歯周病の予防に効果がある新型歯ブラシの広告が施されていると、うがいをしろと言われる度にそのコップを手に取らなければならないから、当然、その広告を見ることになる。そうでない時でもちょっと左側に目をやるといやでも視界に入って来るから、やはり広告を見てしまうことになる。
その結果、治療が終わるまでの間、歯を悪くしている人に歯周病予防の新型歯ブラシの広告をチラチラと見続けさせることになるが、治療時間は自動販売機でコップ一杯の飲物を飲む時間に比べて相当長い（１時間位かかることもある）から、広告効果は極めて高い。
【０００９】
図１では、外側面２にのみ広告５を施した例を示したが、広告５は内側面３あるいは内側底面に施してもよいし、それらの面と外側面２の全ての面に施してもよい。広告機能を具備すると、その機能を有するということで、新たに独立した財産的価値を生じることになる（その財産的価値は、広告料収入という財貨をもたらす）。
例えば、上例で、カメラメーカーの広告を施した場合、その広告料で自動販売機用の使い捨てコップは無料で済むことになるかも知れない。もし無料で済むとなると、その分だけ安い値段で飲物を販売することが可能となり、販売競争力を強めることにもなる。
【００１０】
以上述べたことから明らかなように、本考案の使い捨てコップは、本来の「液体短時間保持」という機能の他に、広告という機能をも果たすことになる。このように、１つの機能のみを果たすだけで生涯を終えるのではなく、２つの機能を果たして終えることになるので、資源を有効に利用するということにもなるし、「もったいない」の精神に沿ったものともなる。
【図面の簡単な説明】
【００１１】
【図１】本考案にかかわる使い捨てコップの１例を示す図
【図２】従来の使い捨てコップの１例を示す図
【符号の説明】
【００１２】
１…使い捨てコップ、２…外側面、３…内側面、４…液体収容部、５…広告
【図１】
0003141818.tif 000003
【図２】
0003141818.tif 000004
【手続補正書】
【提出日】平成20年3月11日(2008.3.11)
【手続補正１】
【補正対象書類名】実用新案登録請求の範囲
【補正対象項目名】全文
【補正方法】変更
【補正の内容】
【実用新案登録請求の範囲】
【請求項１】
コップ自体と、
該コップ自体の内側面，内側底面および外側面のいずれか一つの面に直接印刷された広告と
から成ることを特徴とする使い捨てコップ。
【請求項２】
コップ自体と、
広告が印刷され、前記コップ自体の内側面，内側底面および外側面のいずれか一つの面に貼り付けられたシールと
から成ることを特徴とする使い捨てコップ。
【手続補正２】
【補正対象書類名】明細書
【補正対象項目名】０００４
【補正方法】変更
【補正の内容】
【０００４】
前記課題を解決するため、本考案の使い捨てコップは、コップ自体と、その内側面，内側底面および外側面のいずれか一つの面に直接印刷された広告とから成る構成とした。
また、本考案の使い捨てコップは、コップ自体と、広告が印刷され、前記コップ自体の内側面，内側底面および外側面のいずれか一つの面に貼り付けられたシールとから成る構成としてもよい。